(57)【要約】【課題】質問電波を送信し非接触識別タグからの応答電波を受信して、個体識別情報を読取るＲＦＩＤ読取り装置の増幅回路を素子数の少ない増幅回路で構成する。【解決手段】ＲＦＩＤ読取り装置１０はアンテナ１１を介して受信した非接触識別タグからの応答電波を検波しＲＦベースバンド信号を出力する検波回路１２と、前記検波回路１２から出力されたＲＦベースバンド信号を増幅し、ロジックレベルのＲＦ出力信号を出力する増幅回路１３と、前記増幅回路１３から出力されたＲＦ出力信号から前記非接触識別タグに記録された個体識別情報を抽出する演算処理回路１４と、を備える。前記増幅回路１３はベースをＲＦベースバンド信号の入力端子とし、コレクタを増幅出力端子とし、エミッタを接地したトランジスタからなる増幅段３０１と、前記コレクタに接続されたインダクタンスとコンデンサとの並列回路からなる並列共振回路３０２とで構成する。【選択図】図３
2008099007.tif 000002
【特許請求の範囲】
【請求項１】
非接触識別タグに質問電波を送信し、該非接触識別タグからの応答電波を受信して、該非接触識別タグに記録された個体識別情報を読取るＲＦＩＤ読取り装置において、
アンテナを介して受信した非接触識別タグからの応答電波を検波しＲＦベースバンド信号を出力する検波回路と、前記検波回路から出力されたＲＦベースバンド信号を増幅し、ロジックレベルのＲＦ出力信号を出力する増幅回路と、前記増幅回路から出力されたＲＦ出力信号から前記非接触識別タグに記録された個体識別情報を抽出する演算処理回路と、を備え、前記増幅回路はベースをＲＦベースバンド信号の入力端子とし、コレクタを増幅出力端子とし、エミッタを接地したトランジスタからなる増幅段と、前記コレクタに接続されたインダクタンスとコンデンサとの並列回路からなる並列共振回路とから構成されたことを特徴とするＲＦＩＤ読取り装置。
【請求項２】
前記ＲＦＩＤ読取り装置は、更に、搬送波を生成する共振器と、前記共振器から入力される搬送波を変調する送信ドライバ・変調回路と、前記送信ドライバ・変調回路から出力されるＲＦ信号をアンテナに伝達する共振回路と、を備え、
前記演算処理回路は、搬送波をオン・オフ制御するキャリアオン・オフ制御信号と変調信号を前記送信ドライバ・変調回路に入力し、該送信ドライバ・変調回路は、前記非接触識別タグに対するＲＦ変調信号を生成し、前記共振回路は該ＲＦ変調信号をアンテナに伝達し、前記アンテナは前記非接触識別タグに対する質問電波を送信することを特徴とする請求項１に記載のＲＦＩＤ読取り装置。
【発明の詳細な説明】
【技術分野】
【０００１】
本発明は、非接触識別タグに記録された識別情報を読み取るＲＦＩＤ読取り装置に関するものであり、特に、受信電波から搬送波を除去した信号を増幅する増幅回路の構成を簡単化したＲＦＩＤ読取り装置に関するものである。
【背景技術】
【０００２】
近年、物流や物品管理の分野において、商品や梱包体などの個体識別のため、バーコードとバーコードリーダを用いた方式に代わり、無線で交信でき、より多くの情報を記録でき、かつ情報の書換えも可能な非接触型識別タグ（非接触ＩＣタグ）を用いたＲＦＩＤ（Radio  Frequency  Identification）システムの利用が拡大している。
【０００３】
ＲＦＩＤ素子は、紙、プラスチック、または物品本体などの基材に設けたアンテナパターンと、該アンテナパターンとＩＣチップに内蔵された容量素子とにより、共振回路を形成し、該アンテナパターンを介して、特定の共振周波数で動作する。ＲＦＩＤ素子は、基材の形状や用途などにより、非接触ＩＣタグ、無線ＩＣタグなどの名称で表現されており、本明細書においては、これらを代表してＲＦＩＤ素子という。
【０００４】
ＲＦＩＤ素子を用いた個体識別のためのＲＦＩＤシステムは、例えば、下記の特許文献１（特開２００３−２２６４３４号公報）に開示されている。この特許文献１に開示されたシステムは、荷物が載置された状態で搬送車に積み込まれるように構成された荷物搬送用ボックスには、アクティブ型のＲＦＩＤ素子が取り付けられ、ＲＦＩＤ素子には、ＲＦＩＤ素子に固有の情報が書き込まれている。固有の情報は、たとえば製造シリアルナンバーである。そして、荷物搬送用ボックスに取り付けられたＲＦＩＤ素子から固有の情報を読み取るためのリーダーを備え、リーダーで読み取った固有の情報に基づいて、荷物搬送用ボックスの個数を管理するように構成したものである。
【０００５】
このようなＲＦＩＤシステムに用いられるＲＦＩＤ素子およびＲＦＩＤ読取り装置は、例えば、下記の特許文献２（特開２０００−４９６５４号公報）にＲＦＩＤシステムとして開示されている。この特許文献２に開示されたＲＦＩＤシステムは、パッシブ型ＲＦＩＤシステムに関するものであり、非接触識別タグからの応答電波の受信時または非受信時に応じて、読取装置の質問電波のアンテナ出力電力を次のように設定する制御回路を有するものである。
【０００６】
図６に示すブロック図は、この特許文献２に開示された、従来のＲＦＩＤシステムの構成を示すブロック図である。このＲＦＩＤシステムは質問電波を送信する読取り装置１００、読取装置１００からの質問電波を受信すると個体識別のための識別情報を含んだ応答電波を返信する非接触識別タグ２００から構成されている。読取り装置１００は搬送波を生成する送信回路１０１、搬送波を質問電波として送信すると共に応答電波を受信する送受信アンテナ１０２、送受信アンテナ１０２が受信した応答電波から識別情報を取り出す受信回路１０３を備えている。
【０００７】
非接触識別タグ２００は、質問電波を受信すると共に応答電波を送信する送受信アンテナ２０１、送受信アンテナ２０１が受信した質問電波からクロック信号ＣＬＫを生成する受信回路２０２、質問電波を電力に変換する整流回路２０３、クロック信号ＣＬＫが入力されると識別情報を出力する制御処理回路２０４、送受信アンテナ２０１が受信した質問電波に識別情報を多重する送信回路２０５を備えている。
【０００８】
読取り装置１００内の送信回路１０１は、搬送波を送受信アンテナ１０２へ出力し、送受信アンテナ１０２はこれを周波数ｆ１の質問電波として送出する。非接触識別タグ２００内の整流回路２０３は、送受信アンテナ２０１が受信した質問電波を電力に変換する。この電力が供給されることにより、制御処理回路２０４が動作を開始する。一方、受信
回路２０２は、送受信アンテナ２０１が受信した質問電波からクロック信号ＣＬＫを生成する。
【０００９】
そして、制御処理回路２０４は、受信回路２０２からクロック信号ＣＬＫが入力されると、図示しない内部の記憶回路から識別情報を読み出す。続いて、送信回路２０５は、送受信アンテナ２０１が受信した質問電波を搬送波とし、これに識別情報を多重化して送受信アンテナ２０１へ出力する。このように、送信回路２０５にて搬送波を識別情報でＦＳＫ変調することにより、その周波数はｆ１±ｆ２となる。こうして、送受信アンテナ２０１から周波数ｆ１±ｆ２の応答電波が送信される。次いで、読取り装置１００内の受信回路１０３は、送受信アンテナ１０２が受信した応答電波から識別情報を取り出す。
【００１０】
こうして、非接触識別タグ２００からの識別情報が得られることにより、非接触識別タグ２００（あるいは非接触識別タグ２００が取り付けられた物体）の識別が可能となる。このようなＲＦＩＤシステムにおいて、読取り装置１００から送信される質問電波は、非接触識別タグ２００から読取り装置１００へ送信される識別情報の搬送波として用いられると共に、制御処理回路２０４に駆動用電力を供給する給電波としても用いられる。このように非接触識別タグ２００に電池などの電源供給手段を持たないシステムをパッシブＲＦＩＤシステムと称している。
【００１１】
非接触識別タグに質問電波を送信し、非接触識別タグからの応答電波を読み取るＲＦＩＤ読取り装置においては、送受信アンテナで受信した受信電波を検波回路に入力し、検波回路でキャリア（搬送波）を除去した後の信号を増幅して応答電波から識別情報を取り出す。この増幅回路には、一般的に調整のし易さや動作の安定性、増幅率の高さなどの理由から図７に示すようなエミッタ接地型のトランジスタ増幅回路が用いられている。
【００１２】
送受信アンテナで受信した受信電波（ＲＦ信号）は図７に示すように検波回路３００で搬送波が除去され増幅回路４００に入力される。増幅回路は所要の増幅率を得るため、多段、図７では３段のトランジスタ増幅段４０１〜４０３を経て増幅され、コンパレータ５００に入力される。増幅回路で増幅された信号はコンパレータ５００でロジックレベルの信号に変換され、後段のＣＰＵなどの演算制御回路で処理される。各増幅段の増幅率は図７の抵抗Ｒ１／Ｒ２で決まり、理論的には１段のトランジスタ増幅段で目的とする増幅率を得ることができるが、ＲＦ信号のような高周波信号の場合には、トランジスタの構造上生じる帰還容量により信号に対して負帰還がかかることになり、理論上の増幅率を得ることができない。
【００１３】
このため、図７に示すように多段のトランジスタ増幅段４０１〜４０３を用いた構成としている。微弱な信号を歪みなく増幅するため、増幅回路４００はトランジスタ増幅段の出力点（ＯＵＴ）を電源ＶＣＣの中点でバイアスしてＡ級増幅動作するように構成されるが、識別信号を処理する後段のＣＰＵなどの演算制御回路に信号を伝達するためには、増幅信号をロジックレベルに変換する必要があり、最終のトランジスタ増幅段４０３の出力を高周波用のコンパレータ５００に入力してロジックレベルの信号として出力するように構成されている。
【００１４】
【特許文献１】特開２００３−２２６４３４号公報（図１、図２）
【特許文献２】特開２０００−４９６５４号公報（図１、図２）
【発明の開示】
【発明が解決しようとする課題】
【００１５】
上記の従来技術において説明したように、ＲＦＩＤシステムにおけるＲＦＩＤ読取り装置においては、以下のような問題点が存在する。すなわち、
（１）高周波のＲＦ信号を目的とする増幅率で増幅するために、多段のトランジスタ増幅段を用いた増幅回路が必要であり、素子数が多くなる。
（２）多段増幅によるカップリング用コンデンサの影響が大きくなり、信号の歪みが生ずる。
（３）ＲＦ信号以外の信号を増幅するため、信号対ノイズ比（Ｓ／Ｎ比）を上げるためには、別にパンドパスフィルター回路を設ける必要が有る。
（４）増幅段のトランジスタの動作点が周囲の温度により変化し不安定になり、また、部品の定数変化による影響を受け易い。
（５）増幅段のトランジスタの動作点が、部品の経年変化による定数変化の影響をうけて変化するため年月を経過するに伴い性能が劣化する。
（６）増幅段のトランジスタをＡ級動作点におく必要があり常にアイドル電流が必要であり電力消費が生じる。
（７）増幅後の微弱な信号をロジックレベルの信号とするために高周波コンパレータ回路が必要になり、部品点数が多く回路構成が大きくなる。
以上のような問題点があり、ＲＦＩＤ読取り装置の小型化を阻害し、コスト増を招くという問題が生じる。
【００１６】
本発明は上記の問題点に鑑みてなされたものであり、素子数の少ない増幅回路を備えたＲＦＩＤ読取り装置を提供することを目的とするものである。
【課題を解決するための手段】
【００１７】
前記課題を解決するために、本願の請求項１にかかる発明は、
非接触識別タグに質問電波を送信し、該非接触識別タグからの応答電波を受信して、該非接触識別タグに記録された個体識別情報を読取るＲＦＩＤ読取り装置において、
アンテナを介して受信した非接触識別タグからの応答電波を検波しＲＦベースバンド信号を出力する検波回路と、前記検波回路から出力されたＲＦベースバンド信号を増幅し、ロジックレベルのＲＦ出力信号を出力する増幅回路と、前記増幅回路から出力されたＲＦ出力信号から前記非接触識別タグに記録された個体識別情報を抽出する演算処理回路と、を備え、前記増幅回路はベースをＲＦベースバンド信号の入力端子とし、コレクタを増幅出力端子とし、エミッタを接地したトランジスタからなる増幅段と、前記コレクタに接続されたインダクタンスとコンデンサとの並列回路からなる並列共振回路とから構成されたことを特徴とする。
【００１８】
また、本発明の請求項２にかかる発明は、請求項１にかかるＲＦＩＤ読取り装置において、前記ＲＦＩＤ読取り装置は、更に、搬送波を生成する共振器と、前記共振器から入力される搬送波を変調する送信ドライバ・変調回路と、前記送信ドライバ・変調回路から出力されるＲＦ信号をアンテナに伝達する共振回路と、を備え、
前記演算処理回路は、搬送波をオン・オフ制御するキャリアオン・オフ制御信号と変調信号を前記送信ドライバ・変調回路に入力し、該送信ドライバ・変調回路は、前記非接触識別タグに対するＲＦ変調信号を生成し、前記共振回路は該ＲＦ変調信号をアンテナに伝達し、前記アンテナは前記非接触識別タグに対する質問電波を送信することを特徴とする。
【発明の効果】
【００１９】
請求項１にかかる発明においては、ＲＦＩＤ読取り装置は、アンテナを介して受信した非接触識別タグからの応答電波を検波しＲＦベースバンド信号を出力する検波回路と、前記検波回路から出力されたＲＦベースバンド信号を増幅し、ロジックレベルのＲＦ出力信号を出力する増幅回路と、前記増幅回路から出力されたＲＦ出力信号から前記非接触識別タグに記録された個体識別情報を抽出する演算処理回路と、を備え、前記増幅回路はベースをＲＦベースバンド信号の入力端子とし、コレクタを増幅出力端子とし、エミッタを設置した増幅段のトランジスタ回路と、前記コレクタに接続されたインダクタンスとコンデンサとの並列回路からなる並列共振回路とから構成される。
【００２０】
このような構成の増幅回路を備えることにより、並列共振回路がＲＦベースバンド入力の周波数に共振し、共振時のインピーダンスは理想的にはほぼ無限大となるから非常に大きな増幅率を得ることができるようになる。そして、インダクタンスの逆起電力により通常のトランジスタにて得られる増幅出力の２倍の増幅出力を得ることができる。従って、後段の演算処理回路（ＣＰＵ）で必要とされる十分な振幅を持ったロジックレベルの増幅出力が得られるからコンパレータ回路などのような変換回路を省くことができるようになる。
【００２１】
また、請求項２にかかる発明においては、請求項１にかかるＲＦＩＤ読取り装置において、前記ＲＦＩＤ読取り装置は、更に、搬送波を生成する共振器と、前記共振器から入力される搬送波を変調する送信ドライバ・変調回路と、前記送信ドライバ・変調回路から出力されるＲＦ信号をアンテナに伝達する共振回路と、を備え、前記演算処理回路は、搬送波をオン・オフ制御するキャリアオン・オフ制御信号と変調信号を前記送信ドライバ・変調回路に入力し、該送信ドライバ・変調回路は、前記非接触識別タグに対するＲＦ変調信号を生成し、前記共振回路は該ＲＦ変調信号をアンテナに伝達し、前記アンテナは前記非接触識別タグに対する質問電波を送信する。
【００２２】
このような構成によれば、ＲＦＩＤ読取り装置は周辺に存在する非接触識別タグに対する質問電波を送信し、該非接触識別タグからの応答電波を受信して、当該非接触識別タグに記録された個体識別情報を読取ることができるようになる。
【発明を実施するための最良の形態】
【００２３】
以下、本発明の具体例を実施例及び図面を用いて詳細に説明する。但し、以下に示す実施例は、本発明の技術思想を具体化するためのＲＦＩＤ読取り装置を例示するものであって、本発明をこの実施例のＲＦＩＤ読取り装置に特定することを意図するものではなく、特許請求の範囲に含まれるその他の実施形態のＲＦＩＤ読取り装置にも等しく適用し得るものである。
【実施例１】
【００２４】
図１は、本発明の実施例にかかるＲＦＩＤ読取り装置１０の構成を示すブロック図である。ＲＦＩＤ読取り装置１０は、図１に示すようにアンテナ１１、検波回路１２、増幅回路１３、ＣＰＵ（演算処理装置）１４、共振器１５、送信ドライバ・変調回路１６、共振回路１７を備えて構成されている。
【００２５】
アンテナ１１は非接触識別タグ（図示せず）からの送信電波を受信する。アンテナ１１で受信した電波は検波回路１２に入力され搬送波が除去される。検波回路１２で搬送波を除去されたＲＦベースバンド信号は増幅回路１３に入力され、増幅される。この増幅回路は後述するように、少ない素子数で所定の増幅率が得られ、また、ロジックレベルへの変換を行う高周波コンパレータを必要としない振幅の増幅信号を得ることができる回路構成としている。
【００２６】
増幅回路１３で増幅されたＲＦ信号は十分な振幅を持った信号として出力されるから、演算処理回路（ＣＰＵ）１４に入力することができ、演算処理回路１４は入力されたＲＦ信号を処理して非接触識別タグに記録された個体識別情報を得ることができる。従って、従来のＲＦ読取り装置１０のように増幅回路の後段において増幅された出力信号を演算処理回路が処理可能なロジックレベルの信号に変換するための高周波コンパレータ回路を必要としない。
【００２７】
一方、送信ドライバ・変調回路１６は、非接触識別タグ（図示せず）に記録された個体識別情報を読み取るための質問信号を生成する。演算処理回路（ＣＰＵ）１４は送信ドライバ・変調回路１６に変調信号を供給し、送信ドライバ・変調回路１６は、共振器１５から供給される搬送波を変調してＲＦ質問信号を生成する。送信ドライバ・変調回路１６により生成されたＲＦ質問信号はアンテナ１１の入力巻線に接続される共振回路１７に入力され、アンテナ１１を介し非接触識別タグ（図示せず）に送信される。
【００２８】
次に、図１の各回路の構成を説明する。図２は、図１における検波回路１２の構成を示す図であり、図２（ａ）は検波回路１２の詳細な回路構成図、図２（ｂ）はＲＦ入力波形、図２（ｃ）はＲＦベースバンド出力波形をそれぞれ示している。検波回路１２は、コンデンサＣ１、Ｃ２、ダイオードＤ１、Ｄ２、抵抗Ｒ１から構成され、アンテナ１１で受信したＲＦ応答電波はＲＦ入力端子２１に加えられ、デイオードＤ１、Ｄ２により検波され、コンデンサＣ２、抵抗Ｒ１からなる積分回路で搬送波（１３．５６ＭＨｚ）が除去されてＲＦベースバンド信号がＲＦベースバンド出力端子２２に出力される。
【００２９】
図３は、図１における増幅回路１３の詳細な構成を示す回路構成図である。この増幅回路１３は増幅用のトランジスタＱ１のコレクタを増幅出力端子３２とするトランジスタ増幅段３０１を備えている。そして増幅用トランジスタＱ１のコレクタにコンデンサＣ２とインダクタンスＬ１から構成された並列共振回路３０２を接続している。増幅段３０１はトランジスタＱ１のエミッタを、抵抗Ｒ３を介して接地（ＧＮＤに接続）したエミッタ接地型の増幅回路である。電源端子３３には電源電圧Ｖｃｃが加えられる。トランジスタＱ１のベースは直列接続された抵抗Ｒ１、Ｒ２の接続点に接続され、コンデンサＣ１を介して入力端子３１に接続されている。抵抗Ｒ１、Ｒ２の直列回路の両端は電源ＶｃｃとＧＮＤに接続されている。
【００３０】
検波回路１２から出力されたＲＦベースバンド信号は、入力端子３１に入力され、トランジスタＱ１で増幅される。入力端子３１と出力端子３２には入力波形と増幅後の出力波形が示されている。トランジスタＱ１による増幅時に、Ｃ２、Ｌ１からなる並列共振回路３０２はＲＦベースバンド入力の周波数に共振し、共振時のインピーダンスは理想的にはほぼ無限大となり、非常に大きな増幅率を得ることができる。そして、インダクタンスＬ１の逆起電力により、通常のトランジスタＱ１にて得られる増幅出力の２倍の増幅出力（出力端子３２の波形を参照）を得ることができる。従って、後段の演算処理回路（ＣＰＵ）１４で必要とされる十分な振幅を持ったロジックレベルの増幅出力が得られるからコンパレータ回路などのような変換回路は必要としない。
【００３１】
増幅回路１３は、以上のような回路であるから次のような利点を有する。すなわち、
（１）高周波のＲＦ信号を、目的とする増幅率で増幅するために、ＬＣによる並列共振回路３０２を有する１段のトランジスタ増幅段３０１を用いるだけですみ、特別な素子が必要なく、部品精度による影響も少ない。
（２）多段増幅によるカップリング用コンデンサが少ないため信号の歪みが小さい。
（３）増幅回路そのものの構成がバンドパスフィルターとなっているため、信号対ノイズ比（Ｓ／Ｎ比）がよく、別にパンドパスフィルター回路を設ける必要もない。
（４）増幅段のトランジスタＱ１の動作が、ＯＮ−ＯＦＦ動作に近い動作になるため、周囲の温度の変化による影響を受けない。また、部品定数に対する許容範囲が広く定数変化の影響を受けにくい。
（５）また、部品の定数変化の影響をうけないので経年変化により部品の定数変化があっても性能が劣化しない。
（６）上記（４）のように増幅段のトランジスタＱ１の動作が、ＯＮ−ＯＦＦ動作に近い動作になるから、アイドル電流が必要なく、電力消費が小さい。
（７）インダクタンスＬ１の逆起電力により通常のトランジスタＱ１にて得られる増幅出力の２倍の増幅出力を得ることができる。従って、後段の演算処理回路（ＣＰＵ）１４で必要とされる十分な振幅を持ったロジックレベルの増幅出力が得られるからコンパレータ回路などのような変換回路を必要としない。
【００３２】
増幅トランジスタＱ１のコレクタ（出力端子３２）から出力される増幅出力は、演算処理回路（ＣＰＵ）１４で処理され、非接触識別タグに記録された個体識別情報を読取り、外部の利用装置に提供される。この時、増幅出力は先に述べたように十分な振幅を持ったロジックレベルの信号になっているから、演算処理回路（ＣＰＵ）１４で直接処理することができる。
【００３３】
送信ドライバ・変調回路１６、共振回路１７はＲＦＩＤ読取り装置１０から非接触識別タグに記録された個体識別情報を読取るための質問電波を送信するための回路である。これら送信ドライバ・変調回路１６、共振回路１７は、それぞれ図４、図５に示すような従来のＲＦＩＤシステムの読取り装置に用いられる回路を適用することができる。
【００３４】
送信ドライバ・変調回路１６は、図４に示すように、１３．５６ＭＨｚの搬送波を電流増幅する増幅部ＩＣ１と、演算処理回路（ＣＰＵ）１４から変調信号が入力される入力端子４１を有する変調用のトランジスタＱ１とから構成されている。増幅部ＩＣ１で増幅された搬送波出力（ＲＦ出力）はインダクタンスＬ１、抵抗Ｒ１を介して変調用のトランジスタＱ１に入力され、インダクタンスＬ１と抵抗Ｒ１の接続点（出力端子４２）からＲＦ変調信号が出力される。
【００３５】
増幅部ＩＣ１の入力端子４３には共振器１５から１３．５６ＭＨｚの搬送波が入力され、入力端子４４には演算処理手段（ＣＰＵ）１４から搬送波のＯＮ／ＯＦＦを制御するキャリアオン・オフ制御信号が入力される。搬送波は増幅部ＩＣ１によって電流増幅されるが、この時、インダクタンスＬ１の逆起電力によって電源電圧（Ｖｃｃ）の２倍の出力がＲＦ出力として得られる。そして、変調用のトランジスタＱ１（入力端子４１）に変調信号が入力されると、抵抗Ｒ１の抵抗値に応じた変調度で変調され、ＲＦ変調出力が出力端子４２に出力される。
【００３６】
送信ドライバ・変調回路１６から出力されるＲＦ出力は、図５に示す共振回路１７によってアンテナ１１に伝えられ、アンテナ１１から非接触識別タグに記録された個体識別情報を読取るための質問電波として周辺の非接触識別タグに送信される。共振回路１７は図５のようにアンテナ巻線ＡＮＴとコンデンサＣ１、Ｃ２とから構成され、送信ドライバ・変調回路１６から出力されるＲＦ出力は共振回路１７の入力端子に入力される。共振回路１７はアンテナ巻線ＡＮＴのインダクタンス成分とコンデンサＣ１、Ｃ２の定数を整合させ、１３．５６ＭＨｚに最も適した共振点になるように設定されている。
【００３７】
以上、詳細に説明したように本発明にかかるＲＦＩＤ読取り装置１０は、検波回路によって搬送波を除去した後のＲＦ信号を増幅する増幅回路を、ベースをＲＦベースバンド信号の入力端子とし、コレクタを増幅出力端子とし、エミッタを接地したトランジスタからなる増幅段と、前記コレクタに接続されたインダクタンスとコンデンサとの並列回路からなる並列共振回路とから構成したものである。
従って、並列共振回路がＲＦベースバンド入力の周波数に共振し、共振時のインピーダンスは理想的にはほぼ無限大となるから非常に大きな増幅率を得ることができる。そして、インダクタンスの逆起電力により通常のトランジスタにて得られる増幅出力の２倍の増幅出力を得ることができる。これにより、後段の演算処理回路（ＣＰＵ）で必要とされる十分な振幅を持ったロジックレベルの増幅出力が得られるからコンパレータ回路などのような変換回路を省くことができる。
【図面の簡単な説明】
【００３８】
【図１】本発明の実施例にかかるＲＦＩＤ読取り装置の構成を示すブロック図である。
【図２】図１に示すＲＦＩＤ読取り装置の検波回路の構成と波形を示す図であり、図２（ａ）は検波回路の詳細な回路構成図、図２（ｂ）はＲＦ入力波形を示す図、図２（ｃ）はＲＦベースバンド出力波形を示す図である。
【図３】図１に示すＲＦＩＤ読取り装置の増幅回路の構成を示す回路構成図である。
【図４】図１に示すＲＦＩＤ読取り装置の送信ドライバ・変調回路の構成を示す回路構成図である。
【図５】図１に示すＲＦＩＤ読取り装置の共振回路の構成を示す回路構成図である。
【図６】従来のＲＦＩＤシステムの構成を示すブロック図である。
【図７】従来、一般的にＲＦＩＤ読取り装置に用いられる増幅回路の構成を示す回路構成図である。
【符号の説明】
【００３９】
１０・・・・ＲＦＩＤ読取り装置
１１・・・・アンテナ
１２・・・・検波回路
１３・・・・増幅回路
１４・・・・ＣＰＵ（演算処理装置）
１５・・・・共振器
１６・・・・送信ドライバ・変調回路
１７・・・・共振回路
３０１・・・トランジスタ増幅段
Ｑ１・・・・トランジスタ
３０２・・・並列共振回路
Ｌ１・・・・インダクタンス
Ｃ２・・・・コンデンサ
３１・・・・入力端子
３２・・・・出力端子
【図１】
2008099007.tif 000003
【図２】
2008099007.tif 000004
【図３】
2008099007.tif 000005
【図４】
2008099007.tif 000006
【図５】
2008099007.tif 000007
【図６】
2008099007.tif 000008
【図７】
2008099007.tif 000009